(57)【要約】【課題】  各機能のユーズケース（Use Csse）に合わせて最適な形態とする。【解決手段】  本体筐体部１に支持されカメラ部８及び表示画面部４を有する第１の副筐体部は、第１の操作キー部１５，１６を覆う初期位置と第１の操作キー部１５，１６を露出させる動作位置とに亘ってスライド操作可能となされ、本体筐体部１に支持され第２の操作キー部６を有する第２の副筐体部は、第１の副筐体部２に略々重なって第１の操作キー部６を覆われる収納位置と第１の操作キー部６を露出させる操作位置とに亘って回動操作可能となされている。【選択図】  図３
2005130048.tif 000002
【特許請求の範囲】
【請求項１】
一方の主面部上に第１の操作キー部を有するとともに、回転ダイヤルを有する操作ダイヤル部が取付けられた本体筐体部と、
上記本体筐体部の一方の主面部上において、この本体筐体部に対してスライド操作可能に支持され、該本体筐体部によって支持された側の一端側部分にカメラ部を有するとともに、該本体筐体部によって支持された側の反対側の主面部上に表示画面部を有する第１の副筐体部と、
上記本体筐体部の他方の主面部に対して回動可能に取付けられ、第２の操作キー部を有する第２の副筐体部とを備え、
上記第１の副筐体部は、上記本体筐体部に重なって上記第１の操作キー部を覆うとともに上記カメラ部が該第２の副筐体部に覆われる初期位置と、上記本体筐体部に対してスライドされて上記第１の操作キー部及び上記カメラ部を露出させる動作位置とに亘って、スライド操作可能となされ、
上記第２の副筐体部は、初期位置にある上記第１の副筐体部に略々重なる収納位置と、上記表示画面部と略々同じ方向に向けて上記第２の操作部を露出させる操作位置とに亘って、回動操作可能となされ、
上記操作ダイヤル部は、上記第１の副筐体部が上記初期位置であるときに、上記回転ダイヤルの一部を上記本体筐体部及び上記第１の副筐体部の側縁部より突出すること
を特徴とする移動体通信端末装置。
【請求項２】
請求項１記載の移動体通信端末装置であって、
上記操作ダイヤル部は、上記本体筐体部に対してスライド可能に取付けられており、
上記第１の副筐体部は、上記本体筐体部に対してスライドされることにより、この第１の副筐体部の該本体筐体部に対するスライド量よりも短い距離に亘って、上記操作ダイヤル部を該本体筐体部に対してスライドさせること
を特徴とする移動体通信端末装置。
【請求項３】
請求項１記載の移動体通信端末装置であって、
上記第２の副筐体部の上記本体筐体部に対する回動軸は、該本体筐体部の他方の主面部に対して垂直であり、
上記第２の操作キー部は、上記第２の副筐体部の上記本体筐体部に対向する側の主面部に設けられていること
を特徴とする移動体通信端末装置。
【請求項４】
請求項１記載の移動体通信端末装置であって、
上記第２の副筐体部の上記本体筐体部に対する回動軸は、該本体筐体部の他方の主面部に対して平行であり、
上記第２の操作キー部は、上記第２の副筐体部の上記本体筐体部に対向する側の反対側の主面部に設けられていること
を特徴とする移動体通信端末装置。
【請求項５】
請求項１記載の移動体通信端末装置であって、
上記操作キー部を使用する電話モードと上記カメラ部を使用するカメラモードとの切換えを行う制御手段と、
上記第１及び第２の副筐体部の上記本体筐体部に対する位置を検出する副筐体部位置検出手段とを備え、
上記制御手段は、上記副筐体部位置検出手段による上記第１及び第２の副筐体部の位置の検出結果に基づいて、上記第１の副筐体部が上記動作位置となったときにはカメラモードを実行し、上記第２の副筐体部が上記操作位置となったときには電話モードを実行すること
を特徴とする移動体通信端末装置。
【請求項６】
請求項５記載の移動体通信端末装置であって、
上記制御手段は、上記カメラモードにおいて撮像操作がなされ、撮像データが蓄積された後に、上記電話モードに切換えたときには、操作キー部を用いて文字データを作成し撮像データとともに送信するメールモードを実行すること
を特徴とする移動体通信端末装置。
【発明の詳細な説明】
【技術分野】
【０００１】
本発明は、例えば携帯電話機，ＰＨＳ電話機（PHS：Personal Handyphone System），ＰＤＡ装置（PDA：Personal Digital Assistant）等に設けて好適な移動体通信端末装置に関する。
【背景技術】
【０００２】
今日における携帯電話機は、いわゆる折り畳み式の携帯電話機が主流となっている。この折り畳み式の携帯電話機は、携帯時には、ヒンジ部を介して接続されている２つの筐体を折り畳むことで小型化して携帯するようになっている。また、使用時には、この折り畳まれている各筐体を展開することで、使用に適した大きさとして通話等を行うようになっている。
【０００３】
このように、携帯時と使用時等で形態を変化させる携帯電話機としては、従来、特開平７−２８８８６０号の公開特許公報に開示されている携帯無線電話機、及び特開平１０−２７１１９２号の公開特許公報に開示されている携帯電話端末が知られている。
【０００４】
特開平７−２８８８６０号の公開特許公報には、受話部及び表示部を備える第１の筐体と、ダイヤル部及び送話部を備える第２の筐体とを、受話部又は送話部の表面に垂直な軸の回りに回転可能なヒンジ軸部を介して相互に接続することで、該第１の筐体及び第２の筐体がヒンジ軸部を中心に互いに回転するようにした携帯無線電話機が開示されている。
【０００５】
この携帯無線電話機の場合、携帯時には、第１の筐体及び第２の筐体が重なり合うように該第１の筐体及び第２の筐体を回転操作することで、前述の折り畳み式の携帯電話機と同様の大きさとして携帯し、使用時には、第１の筐体及び第２の筐体を回転操作して展開することで通話等を行うようになっている。
【０００６】
特開平１０−２７１１９２号の公開特許公報に開示されている携帯電話端末は、マイクロホン及びダイヤル操作キー群を有する操作パネル部（第１の筐体に相当）に対して、スピーカ７及びディスプレイを有する本体部（第２の筐体に相当）がスライド移動可能となっている。
【０００７】
この携帯電話端末は、携帯時には操作パネル部に対して本体部が重なるように、該本体部をスライド操作することで、前述の折り畳み式の携帯電話機と同様の大きさとして携帯し、使用時には、この重なっている本体部をスライドさせて引き延ばすことで、通話等を行うようになっている。
【特許文献１】特開平７−２８８８６０号（第４頁：図１）
【特許文献２】特開平１０−２７１１９２号（第４頁：図１）
【発明の開示】
【発明が解決しようとする課題】
【０００８】
しかし、今日における携帯電話機は、電話機能，電子メール機能，カメラ機能，Ｗｅｂブラウジング機能，テレビ電話機能等、多岐にわたる機能を有している。また、テレビジョン放送受信機能や非接触ＩＣカードの機能等も設けられつつある。
【０００９】
例えば、テレビジョン放送受信機能を使用する場合は、表示部を横長の状態とした方が、受信したテレビジョン放送を視聴し易い。また、カメラ機能を使用する場合は、シャッタボタン以外の操作キーは殆ど必要がない。また、メールを入力する場合は、カメラ装置は必要がなく、表示部と操作部が露出していればよい。
【００１０】
このように各機能毎に、使用する部分や使用形態が異なるため、携帯電話機もユーズケース（Use Csse）に合わせて最適な形態に変化可能であることが好ましい。
【００１１】
本発明は、上述の課題に鑑みてなされたものであり、ユースケース（Use Case）に合わせて最適な形態とすることができるような移動体通信端末装置の提供を目的とする。
【課題を解決するための手段】
【００１２】
上述の課題を解決するため、本発明に係る移動体通信端末装置は、一方の主面部上に第１の操作キー部を有するとともに回転ダイヤルを有する操作ダイヤル部が取付けられた本体筐体部と、この本体筐体部の一方の主面部上においてこの本体筐体部に対してスライド操作可能に支持され該本体筐体部によって支持された側の一端側部分にカメラ部を有するとともに該本体筐体部によって支持された側の反対側の主面部上に表示画面部を有する第１の副筐体部と、本体筐体部の他方の主面部に対して回動可能に取付けられ第２の操作キー部を有する第２の副筐体部とを備える。
【００１３】
このような移動体通信端末装置は、第１の副筐体部が、本体筐体部に重なって第１の操作キー部を覆うとともにカメラ部が第２の副筐体部に覆われる初期位置と、本体筐体部に対してスライドされて第１の操作キー部及びカメラ部を露出させる動作位置とに亘ってスライド操作可能となっている。
【００１４】
また、第２の副筐体部が、初期位置にある第１の副筐体部に略々重なる収納位置と、表示画面部と略々同じ方向に向けて第２の操作部を露出させる操作位置とに亘って回動操作可能となっている。
【００１５】
そして、上記操作ダイヤル部は、上記第１の副筐体部が上記初期位置であるときに、上記回転ダイヤルの一部を上記本体筐体部及び上記第１の副筐体部の側縁部より突出するようになっている。
【００１６】
この移動体通信端末装置においては、第１及び第２の副筐体部を初期位置及び収納位置とすることによって非使用時における携帯性を良好とし、第１の副筐体部を動作位置とすることによってカメラ部を用いるカメラモードを実行することができる。
【００１７】
また、第２の副筐体部を操作位置とすることによって第２の操作キー部を用いる電話モードまたはメールモードを実行できる。また、第１及び第２の副筐体部を初期位置及び収納位置とした場合においても、第１の副筐体部に設けられた表示画面部及び本体筐体部に取付けられた操作ダイヤル部の回転ダイヤルを使用することができる。
【発明の効果】
【００１８】
本発明に係る移動体通信端末装置においては、本体筐体部の一方の主面部上においてスライド操作可能に支持され表示画面部を備えた第１の副筐体部は、本体筐体部に重なる初期位置と本体筐体部に対してスライドされて第１の操作キー部及びカメラ部を露出させる動作位置とに亘ってスライド操作可能となされ、本体筐体部の他方の主面部に対して回動可能に取付けられ第２の操作キー部を有する第２の副筐体部は、初期位置にある第１の副筐体部に略々重なる収納位置と第２の操作部を露出させる操作位置とに亘って回動操作可能となされ、第１及び第２の副筐体部を初期位置及び収納位置とすることによって非使用時における携帯性を良好とし、第１の副筐体部を動作位置とすることによってカメラ部を用いるカメラモードを実行することができ、第２の副筐体部を操作位置とすることによって第２の操作キー部を用いる電話モードまたはメールモードを実行できる。
【００１９】
また、この移動体通信端末装置においては、第１及び第２の副筐体部を初期位置及び収納位置とした場合においても、第１の副筐体部に設けられた表示画面部及び本体筐体部に取付けられた操作ダイヤル部の回転ダイヤルを使用することができる。
【００２０】
すなわち、本発明は、各機能のユーズケース（Use Csse）に合わせて最適な形態とすることができる。
【発明を実施するための最良の形態】
【００２１】
〔携帯電話端末の構成の概要〕
本発明を実施するための最良の形態となる携帯電話端末は、図１に示すように、本体筐体部１と、第１の副筐体部２と、第２の副筐体部３とを有して構成されている。第１の副筐体部２は、図２に示すように、初期位置において、本体筐体部１を覆う状態となっている。また、第２の副筐体部３は、収納位置において、初期位置にある第１の副筐体部２に対して略々重なる状態となっている。
【００２２】
本体筐体部１は、図３に示すように、一主面部上に第１の操作キー部１５，１６を備えている。この第１の操作キー部１５，１６は、後述する制御部に接続された複数の操作キーから構成されている。オンフックキー及びオフフックキーは、この第１の操作キー部１５，１６として設けられている。
【００２３】
また、本体筐体部１には、回転ダイヤル５を有する操作ダイヤル部１１が、図３中に矢印Ｂで示すように、スライド可能に取付けられている。この操作ダイヤル部１１は、回転ダイヤル５が回転操作されると、この回転角度に応じた信号を後述する制御部に送るようになっている。また、この操作ダイヤル部１１は、回転ダイヤル５の内方側に、複数の操作キー９を有している。この操作ダイヤル部１１は、操作キー９が操作されると、この操作に応じた信号を後述する制御部に送るようになっている。
【００２４】
第１の副筐体部２は、本体筐体部１の一主面部上において、スライド支持機構を介して、この本体筐体部１に対してスライド操作可能に支持されている。このスライド支持機構は、本体筐体部１の両側面部に設けられた支持溝１３，１３と、第１の副筐体部２に設けられた図示しない支持片部とから構成されている。すなわち、第１の副筐体部２は、支持片部を支持溝１３，１３に係合させることにより、これら支持溝１３，１３に沿って、本体筐体部１に対してスライド可能となっている。
【００２５】
この第１の副筐体部２は、図５乃至図８に示すように、本体筐体部１を覆う初期位置より、第１の操作キー部１５，１６を外方側に露出させる動作位置に亘って、本体筐体部に対してスライド可能となっている。
【００２６】
本体筐体部１には、図３に示すように、位置検出スイッチ２２が設けられており、この位置検出スイッチ２２によって第１の副筐体部２の本体筐体部１に対するスライド位置が検出され、その検出結果が後述する制御部に送られるようになっている。
【００２７】
第１の副筐体部２は、図３に示すように、本体筐体部１によって支持された側の反対側の主面部上に表示画面部４を備えている。この表示画面部４は、例えば液晶表示装置により構成されている。この表示画面部４は、後述する制御部に接続されており、この制御部の制御にしたがって所定の表示を行う。
【００２８】
この携帯電話端末は、テレビジョンチューナを有しており、このテレビジョンチューナが動作しているときには、表示画面部４には、このテレビジョンチューナによって選局された受信画像が表示される。
【００２９】
さらに、第１の副筐体部２は、本体筐体部１によって支持された側の主面部の他端側にカメラ部８を備えている。このカメラ部８は、撮像レンズと、この撮像レンズが形成する像を撮像する固体撮像素子（ＣＣＤ）とを有して構成されている。
【００３０】
このカメラ部８は、第１の副筐体部２が初期位置にあるときには、図９に示すように、収納位置にある第２の副筐体部３に覆われており、図１０中に矢印Ａで示すように、第１の副筐体部２が他端側にスライドされて動作位置となされると、図１１及び図１２に示すように、外方側に向けて露出される。
【００３１】
なお、この携帯電話端末においては、電話の着信があった場合には、第１の副筐体部２を動作位置とするだけで、第２の副筐体部３を収納位置としたままで、オフフックキーを操作することによって応答することが可能である。
【００３２】
そして、第２の副筐体部３は、図２に示すように、この携帯電話端末の動作を制御する制御手段となる制御部を内蔵するとともに、本体筐体部１側の主面部上に第２の操作キー部６を有している。また、第２の副筐体部３には、一端側部分にマイクロホン部（送話部）２６が設けられるとともに、本体筐体部に対して取付けられた側の反対側の主面部の他端側にスピーカ部（受話部）２５が設けられている。これらマイクロホン部２６及びスピーカ部２５は、それぞれ制御部に接続されており、電話機としての送話部及び受話部となる。
【００３３】
この第２の副筐体部は、初期位置にある上記第１の副筐体部に略々重なる収納位置と、図１３乃至図１５に示すように、表示画面部４と略々同じ方向に向けて上記第２の操作部６を露出させる操作位置とに亘って、図１３及び図１４中に矢印Ｃで示すように、本体筐体部１に対して回動操作可能となされている。
【００３４】
すなわち、この第２の副筐体部３は、図２及び図３に示すように、回転支持機構７を介して、本体筐体部１に対して回動可能に支持されている。この回転支持機構７における回転軸は、第２の副筐体部３及び本体筐体部１の主面部に対して垂直となっている。
【００３５】
この回転支持機構７においては、クリックストップ機構２４，２４が設けられており、第２の副筐体部３は、図１６に示すように、本体筐体部１に対して、所定の回転角度位置において、保持されるようになっている。第２の副筐体部３を、図１６に示すように、収納位置より、本体筐体部１に対して略々１２０°回転させた状態で保持させることにより、この第２の副筐体部３は、図１７に示すように、カメラ部８を使用する場合のハンドル（把持部）として使用することができる。
【００３６】
また、この回転支持機構７の近傍には、位置検出スイッチ２０，２１が設けられており、第２の副筐体部３の本体筐体部１に対する回転角度位置が検出され、その検出結果が制御部に送られるようになっている。
【００３７】
〔操作ダイヤル部をスライドさせる機構〕
ここで、操作ダイヤル部１１は、図５に示すように、第１の副筐体部２が初期位置であるときに、回転ダイヤル５の一部が本体筐体部１及び第１の副筐体部２の側縁部から突出するようになっている。この状態において、本体筐体部１及び第１の副筐体部２の側縁部から突出した回転ダイヤル５の一部を回転操作可能となっている。
【００３８】
すなわち、この携帯電話端末においては、第１の副筐体部２を初期位置としたままで、回転ダイヤル５の回転操作が可能となっており、この回転ダイヤル５の回転操作によって、例えば後述するテレビモードにおける選局動作や、電話モードにおける電話帳登録データからの選択動作等を行うことが可能となっている。
【００３９】
この操作ダイヤル部１１は、図４に示すように本体筐体部１に設けられたガイド凹部内に配置され、この本体筐体部１に対してスライド可能となっている。
【００４０】
また、この操作ダイヤル部１１には、ピニオンギヤ１０が取付けられている。このピニオンギヤ１０は、本体筐体部１のガイド凹部内に設けられた第１のラックギヤ１２に噛合するとともに、第１の副筐体部２に設けられた第２のラックギヤ１４に噛合している。
【００４１】
すなわち、ピニオンギヤ１０は、第１のラックギヤ１２及び第２のラックギヤ１４に両側より噛合され、これら第１のラックギヤ１２及び第２のラックギヤ１４によって挟まれた状態となっている。
【００４２】
したがって、第１の副筐体部２が本体筐体部１に対してスライドされたときには、ピニオンギヤ１０が第１のラックギヤ１２及び第２のラックギヤ１４の間で転動し、図５乃至図８に示すように、操作ダイヤル部１１は、第１の副筐体部２の本体筐体部１に対するスライド量の半分の距離だけ、本体筐体部１に対してスライドされることとなる。
【００４３】
そして、第１の副筐体部２が動作位置となったときには、図８に示すように操作ダイヤル部１１は、回転ダイヤル５の全部が本体筐体部１の側縁部の内側となるようにスライドされる。
【００４４】
〔第２の副筐体部の支持機構の他の形態〕
第２の副筐体部３は、図１８に示すように、回転軸が第２の副筐体部３及び本体筐体部１の主面部に対して平行となっている回転支持機構によって本体筐体部１に取付けることとしてもよい。
【００４５】
具体的には、この回転支持機構は、本体筐体部１に設けられた支持孔１９と、第２の副筐体部３に設けられた一対の支持孔１７，１７と、これら支持孔１９、１７，１７に挿入された一対の支軸１８，１８とから構成されている。この場合には、第２の操作キー部６は、本体筐体部１側の反対側の主面部上に設けられることとなる。
【００４６】
すなわち、この第２の副筐体部３は、初期位置にある上記第１の副筐体部に略々重なる収納位置から、図１８中に矢印Ｄで示すように、第１の副筐体部２より離間する方向に回動されることにより、表示画面部４と略々同じ方向に向けて上記第２の操作部６を露出させる操作位置に亘って、本体筐体部１に対して回動操作される。
【００４７】
〔制御部の構成及び動作〕
この携帯電話端末において、制御部１２０は、図１９に示すように、制御ライン１５０に接続されている。そして、この制御ライン１５０には、通信回路１０２、表示画面部４、第１の操作キー部１５，１６、第２の操作部６、撮像制御部２０２及びメモリ１０５が接続されている。この制御ライン１５０に接続されている各ブロックは、制御部１２０によって制御されて動作する。
【００４８】
通信回路１０２は、アンテナを介して、基地局との間で無線データ通信を行う。また、撮像制御部２０２は、カメラ部８に接続されており、このカメラ部８を撮像制御するとともに、このカメラ部８から出力される撮像データを受信する。
【００４９】
そして、通信回路１０２、表示画面部４、メモリ１０５及び撮像制御部２０２は、データライン１６０に接続されている。さらに、このデータライン１６０には、スピーカ部２５、マイクロホン部２６、ポジション検出部２０３及びテレビジョンチューナ部２０４が接続されている。このデータライン１６０に接続されている各ブロックは、互いにデータの授受を行うことができる。
【００５０】
この携帯電話端末において、制御部１２０は、以下のような、電話モード、メールモード、カメラモード及びテレビモードのいずれかへの動作モードの切換えを行う。
【００５１】
この携帯電話端末において、電話モードにおいては、第１の操作キー部１５，１６、第２の操作キー部６及び操作ダイヤル部１１に対する入力操作に応じて、制御部１２０が通信回路１０２を制御し、電話の発呼、または、着信した電話に対する応答を行い、マイクロホン部２６から入力された音声データが通信回路１０２に送られて送信されるとともに、通信回路１０２により受信された音声データがスピーカ部２５から出力される。
【００５２】
また、この携帯電話端末においては、メールモードにおいては、第１の操作キー部１５，１６、第２の操作キー部６及び操作ダイヤル部１１に対する入力操作に応じて、制御部１２０が通信回路１０２を制御し、メールの発信、または、メールの受信が行われる。すなわち、このメールモードにおいては、第１の操作キー部１５，１６、第２の操作キー部６及び操作ダイヤル部１１を用いて入力された文字データがメモリ１０５に格納されるとともに通信回路１０２に送られて送信され、通信回路１０２により受信された文字データがメモリ１０５に格納されるとともに表示画面部４により表示される。
【００５３】
なお、このメールモードにおいては、文字データとともに、メモリ１０５に格納された映像データその他のデータを添付して通信回路１０２により送信することができ、また、通信回路１０２により文字データに添付された映像データその他のデータが受信された場合には、これらのデータがメモリ１０５に格納されるとともに表示画面部４により表示される。
【００５４】
そして、この携帯電話端末においては、カメラモードにおいては、第１の操作キー部１５，１６、第２の操作キー部６及び操作ダイヤル部１１に対する入力操作に応じて、制御部１２０が映像制御部２０２を介してカメラ部８を制御し、カメラ部８により撮像された映像データのメモリ１０５への格納、格納された映像データの読出し及び表示画面部４への表示が行われる。
【００５５】
さらに、この携帯電話端末においては、テレビモードにおいては、第１の操作キー部１５，１６、第２の操作キー部６及び操作ダイヤル部１１に対する入力操作に応じて、制御部１２０がテレビジョンチューナ部２０４を制御し、このテレビジョンチューナ部２０４から出力される映像データの表示画面部４への表示及び音声データのスピーカ部２５による出力が行われる。
【００５６】
また、この携帯電話端末においては、位置検出スイッチ２０，２１，２２からの出力がポジション検出部２０３に送られ、このポジション検出部２０３により、第１の副筐体部２及び第２の副筐体部３の位置を示すデータが制御部１２０に送られる。そして、制御部１２０は、位置検出スイッチ２０，２１，２２による第１の副筐体部２及び第２の副筐体部３の位置の検出結果に基づいて、第１の副筐体部２が動作位置となったときにはカメラモードを実行し、第２の副筐体部３が操作位置となったときには電話モードを実行するというように、上述のような動作モードの切換えを、第１の副筐体部２及び第２の副筐体部３の位置に応じて行う。
【００５７】
すなわち、制御部１２０は、図２０のフローチャートに示すように動作し、ステップｓｔ１で動作がスタートされると、ステップｓｔ２に進み、電話の着信があったか否かを判別する。電話の着信があったならばステップｓｔ３に進み、電話の着信がないならばステップｓｔ４に進む。このとき、この携帯電話端末は、電話の着信を待つ待受けモードとなっている。
【００５８】
ステップｓｔ３では、オフフック操作があったか否かを判別する。オフフック操作があったならばステップｓｔ５に進み、電話モードを実行し、ステップｓｔ６に進む。オフフック操作がなければ、ステップｓｔ２に戻る。なお、このオフフック操作は、第１の副筐体部２を動作位置にスライドした状態で行うことができる。
【００５９】
ステップｓｔ６では、通話が終了したか否かを判別し、通話が終了していればステップｓｔ２に戻り、通話が終了していなければステップｓｔ５に戻り、再びステップｓｔ６に進む。
【００６０】
ステップｓｔ４では、テレビモードが実行されているか否かを判別する。テレビモードが実行されていればステップｓｔ２に戻り、テレビモードが実行されていなければステップｓｔ７に進む。すなわち、テレビモードが実行されている場合には、着信した電話の応答のみが可能である。
【００６１】
ステップｓｔ７では、第１の副筐体部２が初期位置であり、かつ、第２の副筐体部３が収納位置になっているか否かを判別する。第１の副筐体部２が初期位置であり、かつ、第２の副筐体部３が収納位置になっていればステップｓｔ２に戻り、第１の副筐体部２が初期位置でなく、または、第２の副筐体部３が収納位置でなければ、ステップｓｔ８に進む。
【００６２】
ステップｓｔ８では、第２の副筐体部３が収納位置になっているか否かを判別する。第２の副筐体部３が収納位置になっていれば、ステップｓｔ１０に進み、第２の副筐体部３が収納位置になっていなければ、ステップｓｔ９に進む。
【００６３】
ステップｓｔ１０では、カメラモードを実行し、ステップｓｔ１６に進む。ステップｓｔ１６では、カメラモードが終了したか（撮影が終了しているか）を判別し、カメラモードが終了していればステップｓｔ２に戻り、カメラモードが終了していなければステップｓｔ１０に戻り、再びステップｓｔ１６に進む。
【００６４】
ステップｓｔ９では、未送信の映像データがメモリ１０５に格納されているか否かを判別し、未送信の映像データがメモリ１０５に格納されていればステップｓｔ１１に進み、未送信の映像データがメモリ１０５に格納されていなければステップｓｔ１３に進む。未送信の映像データとは、このステップｓｔ９に至るよりも前に、カメラモードが実行されてメモリ１０５に格納された映像データであって、未だメールによって送信されていないデータをいう。
【００６５】
ステップｓｔ１１では、メールモードのうち、映像データを添付して送信するメールモードを実行し、ステップｓｔ１２に進む。ステップｓｔ１２においては、映像データを添付して送信するメールモードが終了、または、中止されたか否かを判別する。映像データを添付して送信するメールモードが終了、または、中止されていればステップｓｔ１４に進み、映像データを添付して送信するメールモードが終了、または、中止されていなければステップｓｔ１１に戻り、再びステップｓｔ１２に進む。
【００６６】
なお、映像データを添付して送信するメールモードが正常に終了した場合には、その映像データは送信済みであることを示すデータがメモリ１０５に格納される。
【００６７】
ステップｓｔ１３では、メールモードを選択する操作がなされたか否かを判別し、メールモードを選択する操作がなされていればステップｓｔ１４に進み、メールモードを選択する操作がなされていなければステップｓｔ３に進む。
【００６８】
ステップｓｔ１４では、通常のメールモードを実行し、ステップｓｔ１５に進む。この通常のメールモードにおいては、送信する文字データに映像データを添付するか否かなどの選択は、第１及び第２の操作キー部１５，１６、６を用いたユーザの操作に応じて行われる。
【００６９】
ステップｓｔ１５においては、メールモードが終了、または、中止されたか（メールモードを終了する操作がなされているか）否かを判別する。メールモードが終了、または、中止されていればステップｓｔ３に進み、メールモードが終了、または、中止されていなければステップｓｔ１４に戻り、再びステップｓｔ１５に進む。
【００７０】
このようにしてステップｓｔ１３、または、ステップｓｔ１５を経てステップｓｔ３に進んだ場合には、電話の着信があった場合ではないので、電話を発呼する状態となる。この場合において、制御部１２０は、オフフックの操作がなされた後に第２の操作キー部６の番号キーが押されればこれを電話番号として扱い、また、オフフックの操作がなされる前に第２の操作キー部６の番号キーが押された場合であっても、この番号をストレージしておき、これを電話番号として扱って発呼を行う。
【００７１】
〔ユーザの操作について〕
この携帯電話端末を使用するユーザは、図２１のフローチャートに示すように、ステップｓｔ１７において操作を開始したときには、ステップｓｔ１８に示すように、第１の副筐体部２が初期位置となり、第２の副筐体部３が収納位置となっている。これが初期状態である。そして、ユーザは、ステップｓｔ１９に示すように、メール作成（文字データの入力）を行うと判断した場合には、ステップｓｔ２２に進み、第２の操作キー部（キーボード）６を引出すため、ステップｓｔ２３において、第２の副筐体部３を操作位置とすることとなる。なお、このように第２の副筐体部３を操作位置とした場合には、電話モードも実行することができる。
【００７２】
一方、ユーザは、ステップｓｔ１９においてメール作成（文字データの入力）を行わないと判断した場合には、ステップｓｔ２０において、カメラ部８を使用するか否かを判断する。カメラ部を使用するならば、ステップｓｔ２４に進み、カメラ部８を引出すため、ステップｓｔ２５において、第１の副筐体部２を動作位置とすることとなる。
【００７３】
また、ユーザは、ステップｓｔ２０においてカメラ部８を使用しないと判断した場合には、ステップｓｔ２１において、動画、または、静止画の鑑賞を行うか否かを判別する。ここで、動画の鑑賞とは、主にテレビジョンチューナ部によるテレビジョン放送の受信を意味し、静止画の鑑賞とは、メモリ１０５に格納されている映像データの再生を意味する。
【００７４】
そして、動画、または、静止画の鑑賞を行うならば、ステップｓｔ２６において、この携帯電話端末を机上などに据え置いて鑑賞するか否かを判断し、据え置いて鑑賞するならば、ステップｓｔ２７において、第１の副筐体部２を初期位置、第２の副筐体部３を収納位置のままで、動画、または、静止画の鑑賞を行う。
【００７５】
ステップｓｔ２１において、動画、または、静止画の鑑賞を行わないならば、ステップｓｔ２８に進み、ステップｓｔ１７の初期状態に戻る。
【００７６】
このように、ユーザは、行おうとする操作に応じて、第１の副筐体部２を動作位置にスライドさせ、または、第２の副筐体部３を操作位置に回動させることとなる。
【００７７】
このように当該実施の形態の携帯電話端末は、各機能のユースケースに合わせて最適な形態とすることができる。
【００７８】
最後に、上述の発明を実施するための最良の形態は本発明の一例である。このため、本発明は、上述の形態に限定されることはなく、上述の形態以外であっても、本発明に係る技術的思想を逸脱しない範囲であれば、設計等に応じて種々の変更が可能であることは勿論であることを付け加えておく。
【図面の簡単な説明】
【００７９】
【図１】本発明を適用した実施の形態の携帯電話端末の構成を示す斜視図である。
【図２】上記携帯電話端末の構成を示す側面図である。
【図３】上記携帯電話端末の構成を示す分解斜視図である。
【図４】上記携帯電話端末における操作ダイヤル部をスライドさせる機構を示す要部平面図である。
【図５】上記携帯電話端末において第１の副筐体部が初期位置となっている状態を示す平面図である。
【図６】上記携帯電話端末において第１の副筐体部が初期位置からスライドされ始めた状態を示す平面図である。
【図７】上記携帯電話端末において第１の副筐体部が動作位置の近傍までスライドされた状態を示す平面図である。
【図８】上記携帯電話端末において第１の副筐体部が動作位置までスライドされた状態を示す平面図である。
【図９】上記携帯電話端末において第１の副筐体部が初期位置となっている状態を示す側面図である。
【図１０】上記携帯電話端末において第１の副筐体部が初期位置からスライドされ始めた状態を示す側面図である。
【図１１】上記携帯電話端末において第１の副筐体部が動作位置の近傍までスライドされた状態を示す側面図である。
【図１２】上記携帯電話端末において第１の副筐体部が動作位置までスライドされた状態を示す側面図である。
【図１３】上記携帯電話端末において第２の副筐体部が収納位置から回転され始めた状態を示す平面図である。
【図１４】上記携帯電話端末において第２の副筐体部が操作位置の近傍まで回転された状態を示す平面図である。
【図１５】上記携帯電話端末において第２の副筐体部が操作位置まで回転された状態を示す平面図である。
【図１６】上記携帯電話端末において第２の副筐体部が所定位置まで回転されて保持された状態を示す平面図である。
【図１７】上記携帯電話端末において所定位置まで回転されて保持された第２の副筐体部を把持部として使用している状態を示す平面図である。
【図１８】上記携帯電話端末の構成の他の例を示す分解斜視図である。
【図１９】上記携帯電話端末が有する回路の構成を示すブロック図である。
【図２０】上記携帯電話端末の制御部の動作を示すフローチャートである。
【図２１】上記携帯電話端末のユーザの操作手順を示すフローチャートである。
【符号の説明】
【００８０】
１  本体筐体部、２  第１の副筐体部、３  第２の副筐体部、４  表示画面部、５  回転ダイヤル、６  第２の操作キー部、７  回転支持機構、８  カメラ部、１１  操作ダイヤル部、１５  第１の操作キー部、１６  第１の操作キー部、２５  スピーカ部、２６  マイクロホン部
【図１】
2005130048.tif 000003
【図２】
2005130048.tif 000004
【図３】
2005130048.tif 000005
【図４】
2005130048.tif 000006
【図５】
2005130048.tif 000007
【図６】
2005130048.tif 000008
【図７】
2005130048.tif 000009
【図８】
2005130048.tif 000010
【図９】
2005130048.tif 000011
【図１０】
2005130048.tif 000012
【図１１】
2005130048.tif 000013
【図１２】
2005130048.tif 000014
【図１３】
2005130048.tif 000015
【図１４】
2005130048.tif 000016
【図１５】
2005130048.tif 000017
【図１６】
2005130048.tif 000018
【図１７】
2005130048.tif 000019
【図１８】
2005130048.tif 000020
【図１９】
2005130048.tif 000021
【図２０】
2005130048.tif 000022
【図２１】
2005130048.tif 000023